(57)【特許請求の範囲】
【請求項１】
インターネット通信網を用いて、遠隔地に設置されたビデオカメラで撮影された画像を監視しながら、ビデオカメラの撮影方向及び／または撮影画角の遠隔制御を行う際に使用する情報表示方法であって、
スクロールバーと、
前記スクロールバー上に表示される前記ビデオカメラの撮影方向及び／または撮影画角の制御を行うスライダと、を備え、
前記スクロールバー上のスライダの位置で前記撮影方向を示すと共に、
前記スライダの幅を前記撮影画角に応じて変化させる情報表示方法において、
前記スクロールバーの全体の幅を前記撮影方向の可動角と前記撮影画角との和に応じて変化させる
ことを特徴とする情報表示方法。
【請求項２】
インターネット通信網を用いて、遠隔地に設置されたビデオカメラで撮影された画像を監視しながら、ビデオカメラの撮影方向及び／または撮影画角の遠隔制御を行う際に使用する情報表示方法であって、
スクロールバーと、
前記スクロールバー上に表示される前記ビデオカメラの撮影方向及び／または撮影画角の制御を行うスライダと、を備え、
前記スクロールバー上のスライダの位置で前記撮影方向を示すと共に、
前記スライダの幅を前記撮影画角に応じて変化させる情報表示方法において、
前記スライダの最大変化幅を常に表示させる
ことを特徴とする情報表示方法。
【請求項３】
インターネット通信網を用いて、遠隔地に設置されたビデオカメラで撮影された画像を監視しながら、ビデオカメラの撮影方向及び／または撮影画角の遠隔制御を行う際に使用する情報表示方法であって、
スクロールバーと、
前記スクロールバー上に表示される前記ビデオカメラの撮影方向及び／または撮影画角の制御を行うスライダと、を備え、
前記スクロールバー上のスライダの位置で前記撮影方向を示すと共に、
前記スライダの幅を前記撮影画角に応じて変化させる情報表示方法において、
前記ビデオカメラの撮影方向及び／または撮影画角の制御を行う際に、
前記ビデオカメラの全撮影範囲を示す画像を表示し、
この画像に対して前記スクロールバーとスライダを用いて前記撮影方向の可動角及び／または撮影画角の情報の表示を行う
ことを特徴とする情報表示方法。
【発明の詳細な説明】
【０００１】
【発明の属する技術分野】
本発明は、例えばビデオカメラの撮影方向及び／または撮影画角の遠隔制御を行う際に使用して好適な情報表示方法に関するものである。
【０００２】
【従来の技術】
例えばコンピュータのディスプレイ上において、使用者が行った制御等の表示を行う手段として、いわゆるスクロールバーとスライダが用いられている。
【０００３】
すなわち図１２はそのような表示の一例を示すもので、ここでは例えば遠隔地に設置されたビデオカメラで撮影された画像を観視しながら、撮影方向（Ｐａｎ／Ｔｉｌｔ）、撮影画角（Ｚｏｏｍ）及び焦点（Ｆｏｃｕｓ）等を遠隔制御を行う例が示されている。そしてこの図において、使用者がそれぞれの遠隔制御を行うと、ディスプレイ上のスクロールバーの中に表示されたスライダの位置で、その制御量が示されるものである。
【０００４】
ここでスクロールバーの全体の表示幅は、例えば図１３に示すように、そのデータの可動範囲（最小値から最大値）とスライダの幅の和となっている。そしてこの場合に、スライダの中央が現在の情報の値を示しており、使用者がこのスライダの表示位置を操作することで、表示されている情報の値を変更することができるものである。
【０００５】
しかしながらこのような情報表示方法において、従来のスクロールバーの幅は固定であって、この幅によって情報が示されることはなかった。またスライダの幅は、例えば表示されている情報がスクロールバーの幅以上に存在する場合にスライダの幅を縮小するなどして、情報の全体に対する表示分の相対的な量を示すようなことはあったが、スライダの幅そのものによって情報が示されることはなかった。
【０００６】
【発明が解決しようとする課題】
この出願はこのような点に鑑みて成されたものであって、解決しようとする問題点は、従来のスクロールバーとスライダを用いた情報表示方法では、スクロールバー及び／またはスライダの幅によって任意の情報を表示するものはなかったというものである。
【０００７】
【課題を解決するための手段】
このため本発明においては、スクロールバー及び／またはスライダの幅を情報の条件に応じて変化させるようにしたものであって、これによればスクロールバー及び／またはスライダの幅によって必要な情報が表示され、使用者が行う制御等を容易にすることができる。
【０００８】
【発明の実施の形態】
すなわち本発明は、インターネット通信網を用いて、遠隔地に設置されたビデオカメラで撮影された画像を監視しながら、ビデオカメラの撮影方向及び／または撮影画角の遠隔制御を行う際に使用する情報表示方法において、スクロールバーと、スクロールバー上に表示される前記ビデオカメラの撮影方向及び／または撮影画角の制御を行うスライダと、を備え、スクロールバー上のスライダの位置で撮影方向を示すと共に、スライダの幅を上記撮影画角に応じて変化させてなるものである。
【０００９】
ところで、いわゆるインターネット等の情報通信網を用いて、例えば遠隔地に設置されたビデオカメラで撮影された画像を観視しながら、ビデオカメラの撮影方向及び／または撮影画角等を遠隔制御して、所望の画像の観視を行うシステムが提案されている。すなわち図１４はそのようなシステムの一例の構成を示す図面である。
【００１０】
この図１４において、例えばビデオカメラとしての撮像装置１を構成する撮像素子（ＣＣＤ）１１の前面にレンズブロック１２が設けられる。このレンズブロック１２は、例えばズームモータ１３によってその撮影画角が変化されるものである。そしてこの撮像素子１１で撮像された映像信号が、サンプルホールド（ＳＨ）及びＡＧＣ回路１４を通じてＡ／Ｄ変換回路１５に供給され、変換された信号が信号処理回路１６に供給される。
【００１１】
この信号処理回路１６からの映像信号が、例えばサーバコンピュータ２のビデオキャプチャー装置２１に供給され、取り込まれた映像信号が記憶装置２２に書き込まれる。そしてこの書き込まれた映像信号が任意の制御プログラム２３によって取り出され、ネットワークインターフェイス２４を通じてインターネット等の情報通信網に発信される。
【００１２】
一方、クライアントコンピュータ３はネットワークインターフェイス３１を通じてインターネット等の情報通信網に接続されている。そして上述のサーバコンピュータ２から発信された映像信号は、任意の操作・表示プログラム３２によってこのネットワークインターフェイス３１を通じて取り込まれ、この取り込まれた映像信号は、例えばモニター３３のディスプレイ上に表示３４される。
【００１３】
また、このクライアントコンピュータ３では、例えばモニター３３のディスプレイを見ながら所望の撮影方向及び／または撮影画角等の入力操作を行うマウス等のポインティングデバイス３５が設けられる。そしてこのポインティングデバイス３５によって入力された遠隔制御の情報が、操作・表示プログラム３２に供給され、ネットワークインターフェイス３１からインターネット等の情報通信網を通じてサーバコンピュータ２に送信される。
【００１４】
そしてこのサーバコンピュータ２では、制御プログラム２３によってネットワークインターフェイス２４を通じて取り込まれた遠隔制御の情報が、システム制御用のマイクロコンピュータ４に供給され、このマイクロコンピュータ４からの駆動命令がカメラ制御用のマイクロコンピュータ５、及び後述するパンチルタ制御用のマイクロコンピュータ６に供給される。
【００１５】
さらにマイクロコンピュータ５からの制御信号が上述の撮像装置１に供給されて、例えばズームモータ１３が制御されて撮影画角が制御される。また、マイクロコンピュータ６からの制御信号が、上述の撮像装置１のパン（水平）及びチルト（垂直）方向の撮影方向を制御するパンチルタ装置７に供給されて、これらの制御を行う例えばパンモータ７１及びチルトモータ７２が駆動される。
【００１６】
それと共に、上述のマイクロコンピュータ５及び６で検出された例えば撮影画角及び撮影方向の位置情報がマイクロコンピュータ４に供給される。そしてこのマイクロコンピュータ４で検出された位置情報が、サーバコンピュータ２の制御プログラム２３によって取り出され、ネットワークインターフェイス２４を通じてインターネット等の情報通信網に発信される。
【００１７】
これに対してクライアントコンピュータ３では、上述のサーバコンピュータ２から発信された位置情報が、操作・表示プログラム３２によってネットワークインターフェイス３１を通じて取り込まれる。そしてこの取り込まれた位置情報は、例えばモニター３３のディスプレイ上にスクロールバーとスライダを用いて表示３６されるものである。
【００１８】
【実施例】
そこで本発明は、例えば上述のようなシステムに用いられるスクロールバーとスライダによる情報の表示において、その表示を例えば以下に述べるようにして行うものである。以下に図面を参照して、本発明による情報表示方法の各実施の形態を説明する。
【００１９】
図１は請求項１に対応するものであって、例えば上述のシステムで撮像装置１の撮影画角（ズーム）の制御を行う場合に適用される情報表示方法の一例の構成を示す線図である。この図１において、Ａは例えばスクロールバーＢの全体を示している。ここで制御量の可変範囲は、例えば上述の図１３で述べたように、スライダをそれぞれスクロールバーＢの両端部に置いた時の、各スライダの中央ａから中央ｂまでの範囲である。
【００２０】
ところが、例えば上述の撮影画角（ズーム）の制御において、いわゆるズームレンズの制御を広角（ワイド）側にしたときと、望遠（テレ）側にしたときとでは、焦点の合わせられる範囲が変化するものがある。すなわちこのようなズームレンズでは、望遠（テレ）側に制御したときに焦点が遠距離側にしか合わなくなってしまうものがある。
【００２１】
そこでこのようなズームレンズの制御を行う場合に、例えば図１のＢ、Ｃに示すように広角（ワイド）側にしたときと望遠（テレ）側にしたときとでスクロールバーＢの全体の幅を変化させる。すなわちズームレンズの制御を広角（ワイド）側にしたときはスクロールバーＢの全体の幅を最大にし、望遠（テレ）側にするに従ってスクロールバーＢの全体の幅が短くなるように変化させる。
【００２２】
また、このときスライダＳの表示位置がスクロールバーＢの範囲外に在った場合には、スライダＳの表示位置にも修正を加えてその位置が制御範囲内となるようにすると共に、焦点距離をその位置に合わせる制御が行われる。
【００２３】
これによって、例えば上述の撮像装置１の制御によって、例えばズームレンズが望遠（テレ）側に制御されたときには、近距離側の焦点の合わせられない範囲がスクロールバーＢから除外されて、使用者が誤って焦点の合わせられない範囲にスライダＳを操作しないように表示を行うことができるものである。
【００２４】
なおこのような表示の制御は、例えば図２に示すようなフローチャートによって行うことができる。すなわち図２において処理がスタートされると、まずステップ〔１〕でズームの変化が待機される。そしてズームが変化するとステップ〔２〕で上述の情報通信網を通じて得られる例えば撮像装置１の位置情報から焦点距離の可変範囲が求められて、スクロールバーＢの全体の幅が再計算される。
【００２５】
さらにステップ〔３〕でその計算結果に応じてスライダＳの表示位置が再計算される。そしてステップ〔４〕で、上述のステップ〔２〕〔３〕で再計算された結果に基づいてスクロールバーＢ及びスライダＳの再描画が行われる。これによって、例えば上述の図１のＣに示すような表示が行われる。そしてこの再描画が終了すると、ステップ〔１〕に戻されて再びズームの変化が待機される。
【００２６】
このようにして例えばズームレンズが望遠（テレ）側に制御されたときには、近距離側の焦点の合わせられない範囲がスクロールバーＢから除外されて、使用者が誤って焦点の合わせられない範囲にスライダＳを操作しないように表示を行うことができる。
【００２７】
なお、上述とは逆に焦点距離が変化した場合には、ズームの可動範囲が変化して例えば焦点距離を近距離にするとズームを望遠側にすることができなくなる。そこで上述の情報表示方法は、このようなシステムにおける情報の表示にも応用することができる。すなわち上述の情報表示方法は、他の値から可動範囲が変化するような制御の全般に使用することができるものである。
【００２８】
図３は請求項２に対応するものであって、例えば上述のシステムで撮像装置１の撮影方向の制御を行う場合に適用される情報表示方法の一例の構成を示す線図である。この図３において、Ａは例えばスクロールバーＢの全体を示している。ここで制御量の可変範囲は、例えば上述の図１３に示したように、スライダをそれぞれスクロールバーＢの両端部に置いた時の、各スライダの中央ａから中央ｂまでの範囲である。
【００２９】
そしてこの場合に、例えば撮像装置１の撮影方向の可動範囲がスクロールバーＢの全体の幅によって示されると共に、例えば撮影方向の撮影画角がスライダＳの幅によって表示される。すなわち例えば上述の撮像装置１の制御によって撮影画角（ズーム）が変化されると、例えば図３のＢ、Ｃに示すようにスライダＳの幅がその変化に応じて変化される。
【００３０】
これによって、例えば上述の撮像装置１の制御によって、例えばズームレンズが広角（ワイド）側から望遠（テレ）側に制御されたときには、スライダＳの幅が撮影画角に比例して小さくされて、使用者に撮影画角の変化を明瞭に示すことができるものである。なお、このような表示の制御は、例えば図４に示すようなフローチャートによって行うことができる。
【００３１】
すなわち図４において処理がスタートされると、まずステップ〔５〕でズームの変化が待機される。そしてズームが変化するとステップ〔６〕で上述の情報通信網を通じて得られる例えば撮像装置１の位置情報から撮影方向の撮影画角が求められて、スライダＳの幅が再計算される。そしてステップ〔７〕で、上述のステップ〔６〕で再計算された結果に基づいてスクロールバーＢ及びスライダＳの再描画が行われる。
【００３２】
これによって、例えば上述の図３のＣに示すような表示が行われる。そしてこの再描画が終了すると、ステップ〔５〕に戻されて再びズームの変化が待機される。
【００３３】
このようにして例えば上述の撮像装置１の制御によって、例えばズームレンズが広角（ワイド）側から望遠（テレ）側に制御されたときには、スライダＳの幅が撮影画角に比例して小さくされて、使用者に撮影画角の変化を明瞭に示すことができるものである。
【００３４】
なお上述の図３の例においては、撮影画角が変化しても撮影方向の可動範囲は不変である。このため、例えば望遠（テレ）側では図３のＤ、Ｅに示すように撮影画角が小さくなった分、両端部に撮影方向の移動できない範囲が生じることになり、使用者に誤解を与える恐れがある。
【００３５】
これに対して、図５は請求項３に対応するものであって、この場合も例えば上述のシステムで撮像装置１の撮影方向の制御を行う場合に適用される情報表示方法の一例の構成を示す線図である。なお、図５において、Ａは例えばスクロールバーＢの全体を示し、ここでスライダをそれぞれスクロールバーＢの両端部に置いた時の、各スライダの中央ａから中央ｂまでが制御量の可変範囲である。
【００３６】
そしてこの場合に、例えば撮像装置１の撮影方向の撮影画角がスライダＳの幅によって表示されると共に、例えばスクロールバーＢの全体の幅が、撮影方向の可動角（可変範囲）と撮影画角との和に応じて変化される。すなわち、例えば上述の撮像装置１の制御によって撮影画角が変化されると、例えば図５のＢ、Ｃに示すようにスライダＳの幅がその変化に応じて変化されると共に、スクロールバーＢの全体の幅がスライダＳの幅の変化した分だけ変化される。
【００３７】
これによって、例えば上述の撮像装置１の制御によって、例えばズームレンズが広角（ワイド）側から望遠（テレ）側に制御されたときには、スライダＳの幅が撮影画角に比例して小さくされると共に、スクロールバーＢの全体の幅がその撮影画角の変化した分だけ狭くされて、使用者に撮影画角の変化と撮影可能な画角の変化を明瞭に示すことができるものである。
【００３８】
なおこのような表示の制御は、例えば図６に示すようなフローチャートによって行うことができる。すなわち図６において処理がスタートされると、まずステップ〔８〕でズームの変化が待機される。そしてズームが変化するとステップ〔９〕で上述の情報通信網を通じて得られる例えば撮像装置１の位置情報から撮影方向の撮影画角が求められて、スライダＳの幅が再計算される。
【００３９】
さらにステップ〔１０〕では、ステップ〔９〕で再計算されたスライダＳの幅と上述の例えば撮像装置１の撮影方向の制御量の可変範囲（ａ⇔ｂ）の和からスクロールバーＢの全体の幅が再計算される。そしてステップ〔１１〕でこれらの再計算されたスクロールバーＢ及びスライダＳの再描画が行われる。これによって、例えば上述の図５のＣに示すような表示が行われる。そしてこの再描画が終了すると、ステップ〔８〕に戻されて再びズームの変化が待機される。
【００４０】
すなわちこの場合に、再描画されるスクロールバーＢの全体の幅が撮影方向の可動角と撮影画角との和に応じて変化される。これによって、例えばズームレンズが望遠（テレ）側に制御されたときにはスクロールバーＢの全体の幅が狭くされ、図５のＤ、Ｅに示すように、スクロールバーＢの両端部の移動できない範囲が削除される。
【００４１】
このようにして例えば上述の撮像装置１の制御によって、例えばズームレンズが広角（ワイド）側から望遠（テレ）側に制御されたときには、スライダＳの幅が撮影画角に比例して小さくされると共に、スクロールバーＢの全体の幅が撮影方向の可動角と撮影画角との和に応じて変化されて、使用者に撮影画角の変化と撮影可能な画角の変化を明瞭に示すことができるものである。
【００４２】
さらに図７は請求項４に対応するものであって、この場合も例えば上述のシステムで撮像装置１の撮影方向の制御を行う場合に適用される情報表示方法の一例の構成を示す線図である。なお、図７において、Ａは例えばスクロールバーＢの全体を示し、ここでスライダをそれぞれスクロールバーＢの両端部に置いた時の、各スライダの中央ａから中央ｂまでが制御量の可変範囲である。
【００４３】
そしてこの場合に、例えば撮像装置１の撮影方向の可動範囲がスクロールバーＢの全体の幅によって示されると共に、例えば撮影方向の撮影画角がスライダＳの幅によって表示される。それと共に、スライダＳの最大幅が、スライダＳの両側の線分ｄ、ｅによって表示される。
【００４４】
すなわち例えば上述の撮像装置１の制御によって撮影画角（ズーム）が変化されると、例えば図７のＢ、Ｃに示すようにスライダＳの幅がその変化に応じて変化されるが、このとき例えばズームレンズが最広角（ワイド）で撮影画角が最大のときのスライダＳの最大幅が線分ｄ、ｅによって表示されるものである。またこのとき、例えば撮像装置１の撮影方向の可動範囲を示すスクロールバーＢの全体の幅は変化されないものである。
【００４５】
これによって、例えば上述の撮像装置１の制御によって、例えばズームレンズが広角（ワイド）側から望遠（テレ）側に制御されたときには、スライダＳの幅が撮影画角に比例して小さくされて、使用者に撮影画角の変化を明瞭に示すことができると共に、最大画角が表示されることによって、使用者は撮影可能な画角を常に把握することができるものである。
【００４６】
なお、このような表示の制御は、例えば図８に示すようなフローチャートによって行うことができる。すなわち図８において処理がスタートされると、まずステップ〔１２〕で例えばズームレンズが最広角（ワイド）で撮影画角が最大のときのスライダＳの最大幅が算出されて記憶される。そしてステップ〔１３〕でズームの変化が待機される。
【００４７】
さらにズームが変化するとステップ〔１４〕で上述の情報通信網を通じて得られる例えば撮像装置１の位置情報から撮影方向の撮影画角が求められて、スライダＳの幅が再計算される。そしてステップ〔１５〕で、上述のステップ〔１２〕〔１４〕で記憶及び再計算された結果に基づいてスクロールバーＢ及びスライダＳと線分ｄ、ｅの再描画が行われる。
【００４８】
これによって、例えば上述の図７のＣに示すような表示が行われる。そしてこの再描画が終了すると、ステップ〔１３〕に戻されて再びズームの変化が待機される。
【００４９】
すなわちこの場合に、例えば上述の撮像装置１の制御によって、例えばズームレンズが広角（ワイド）側から望遠（テレ）側に制御されたときには、スライダＳの幅が撮影画角に比例して小さくされて、使用者に撮影画角の変化を明瞭に示すことができる。それと共に、最大画角が線分ｄ、ｅによって表示されることで、使用者は撮影可能な画角を常に把握することができるものである。
【００５０】
またこの例においては、スクロールバーＢの全体の幅は変わらないので、表示のレイアウト等を変更する必要がなく、上述の図５の例に比べて画面に対する再描画の量を削減することができる。さらにこの例において、線分ｄ、ｅの表示は、例えば線分ｄ、ｅとスライダＳの間の色彩を変えるなどの方法によっても行うことができる。
【００５１】
また、図９〜１１は請求項５に対応するものであって、ここでは本発明の情報表示方法を、撮影可能範囲の全体を表示するインデックス画像Ｉを基に、所望の範囲の撮影を行うシステムに適用したものである。そしてこの例において、スクロールバーＢとスライダＳを用いた遠隔制御によって撮影されたライブ画像Ｌが画面の上部に表示されている。
【００５２】
従ってこれらの図９〜１１において、スクロールバーＢは例えばパン／チルト方向の撮影の可能な範囲を示し、またスライダＳの幅は撮影画角を表しており、これらのスライダＳの表示位置を任意に操作することで、インデックス画像Ｉに表示された中の任意の部分のライブ画像Ｌを画面の上部に表示することができるものである。
【００５３】
なお、図９はインデックス画像Ｉと撮影可能範囲が一致している場合である。これに対して、図１０ではインデックス画像Ｉが撮影可能範囲より小さい場合、図１１ではインデックス画像Ｉが撮影可能範囲より大きい場合をそれぞれ示している。
【００５４】
従ってこれらの図において、図１０の例では、インデックス画像Ｉの外側にも撮影可能範囲が広がっていることが使用者に示される。また、図１１の例ではインデックス画像Ｉの一部は撮影できないが、使用者に撮像装置の置かれている環境全体を理解させることができるものである。
【００５５】
従って本発明の情報表示方法によれば、スクロールバーとスライダを用いて情報の表示を行う情報表示方法において、スクロールバー及び／またはスライダの幅を情報の条件に応じて変化させることにより、スクロールバー及び／またはスライダの幅によって必要な情報が表示され、使用者が行う制御等を容易にすることができるものである。
【００５６】
なお、本発明は上述した各種の例に限らず、例えばインターネット等の情報通信網を介さないシステムや、操作／表示と制御を一つのコンピュータで行うシステムにも適用することができるものである。
【００５７】
また、本発明における制御の対象は、上述のビデオカメラ（撮像装置）に限らず、一般的な機械などの制御にも応用することができる。さらにスクロールバーやスライダ、あるいは画面の全体の表示の形態は、上述の例に限られるものではなく、画像を含まない表示においても応用することができるものである。
【００５８】
【発明の効果】
従って請求項１の発明によれば、スクロールバーとスライダを用いて情報の表示を行う情報表示方法において、スクロールバー及び／またはスライダの幅を情報の条件に応じて変化させることにより、例えばズームレンズが広角（ワイド）側から望遠（テレ）側に制御されたときには、スライダＳの幅が撮影画角に比例して小さくされると共に、スクロールバーＢの全体の幅がその撮影画角の変化した分だけ狭くされて、使用者に撮影画角の変化と撮影可能な画角の変化を明瞭に示すことができ、また使用者が誤って焦点の合わせられない範囲にスライダＳを操作しないように表示を行うことができるものである。
【００６１】
さらに請求項２の発明によれば、スクロールバーとスライダを用いて情報の表示を行う情報表示方法において、スクロールバー及び／またはスライダの幅を情報の条件に応じて変化させることにより、例えばズームレンズが広角（ワイド）側から望遠（テレ）側に制御されたときには、スライダＳの幅が撮影画角に比例して小さくされて、使用者に撮影画角の変化を明瞭に示すことができると共に、最大画角が表示されることによって、使用者は撮影可能な画角を常に把握することができるものである。
【００６２】
また、請求項３の発明によれば、スクロールバーとスライダを用いて情報の表示を行う情報表示方法において、スクロールバー及び／またはスライダの幅を情報の条件に応じて変化させることにより、例えば撮影可能範囲の全体を表示するインデックス画像Ｉを基に、所望の範囲の撮影を行うシステムに本発明を適用することができるものである。
【図面の簡単な説明】
【図１】本発明の情報表示方法の第１の例の構成図である。
【図２】その処理の説明のための図である。
【図３】本発明の情報表示方法の第２の例の構成図である。
【図４】その処理の説明のための図である。
【図５】本発明の情報表示方法の第３の例の構成図である。
【図６】その処理の説明のための図である。
【図７】本発明の情報表示方法の第４の例の構成図である。
【図８】その処理の説明のための図である。
【図９】本発明の情報表示方法を応用したシステムの一例の説明のための図である。
【図１０】本発明の情報表示方法を応用したシステムの一例の説明のための図である。
【図１１】本発明の情報表示方法を応用したシステムの一例の説明のための図である。
【図１２】従来の情報表示方法の説明のための図である。
【図１３】従来の情報表示方法の説明のための図である。
【図１４】本発明の適用されるシステムの一例の構成を示す図である。
【符号の説明】
Ｂ…スクロールバー、Ｓ…スライダ、ａ，ｂ…スライダの中央を示す線分、ｄ，ｅ…最大幅を示す線分
【図１】
0003826506.tif 000002
【図２】
0003826506.tif 000003
【図３】
0003826506.tif 000004
【図４】
0003826506.tif 000005
【図５】
0003826506.tif 000006
【図６】
0003826506.tif 000007
【図７】
0003826506.tif 000008
【図８】
0003826506.tif 000009
【図９】
0003826506.tif 000010
【図１０】
0003826506.tif 000011
【図１１】
0003826506.tif 000012
【図１２】
0003826506.tif 000013
【図１３】
0003826506.tif 000014
【図１４】
0003826506.tif 000015